(57)【特許請求の範囲】
【請求項１】
入力した信号に対して複数種類の音声信号処理を行う音声信号処理手段と、
上記信号処理手段が出力するデータ列を標準のＡＴＭセルの中に埋め込まれるレイヤードセルに組立てるレイヤードセル化手段と、
複数のチャネルの複数の上記レイヤードセルを標準ＡＴＭセルに多重化するために待ち合わせる多重化待ち合わせ手段と、
上記レイヤードセルを標準ＡＴＭセルに多重化組立を行うレイヤードセル多重化手段と、
上記レイヤードセル多重化手段が出力する上記標準ＡＴＭセルの送出数をカウントするＡＴＭセル送出数カウント手段と、
上記ＡＴＭセル送出数カウント手段によりカウントされた標準ＡＴＭセル送出数に基づいて上記レイヤードセルの多重効率または上記レイヤードセルの発生量を制御することにより標準ＡＴＭセルの送出数を制御するＡＴＭセル送出数制御手段と
を備えた事を特徴とする音声セル化伝送装置。
【請求項２】
上記ＡＴＭセル送出数制御手段は、上記標準ＡＴＭセル送出数に基づいてレイヤードセル多重化待ち合わせ時間を算出する多重化待ち合わせ時間算出手段であり、
上記多重化待ち合わせ手段は、上記レイヤードセル多重化待ち合わせ時間に基づいて待ち合わせ時間を調整する
ことを特徴とする請求項１記載の音声セル化伝送装置。
【請求項３】
上記ＡＴＭセル送出数制御手段は、上記標準ＡＴＭセル送出数に基づいて上記音声信号処理手段の音声符号化速度を算出する音声符号化速度算出手段であり、
上記音声信号処理手段は、上記音声符号化速度に基づいて音声の符号化速度を調整する
ことを特徴とする請求項１記載の音声セル化伝送装置。
【請求項４】
上記ＡＴＭセル送出数制御手段は、上記標準ＡＴＭセル送出数に基づいて上記音声信号処理手段のＦＡＸ復調伝送速度を算出するＦＡＸ復調伝送速度算出手段であり、
上記音声信号処理手段は、上記ＦＡＸ復調伝送速度に基づいてＦＡＸの復調伝送速度を調整する
ことを特徴とする請求項１記載の音声セル化伝送装置。
【請求項５】
アクティブ判定閾値に基づいて入力した信号がアクティブか否かを判定するアクティブ検出手段をさらに備え、
上記音声信号処理手段および上記レイヤードセル化手段は、上記アクティブ判定出力に基づいて、音声信号処理およびレイヤードセル組立処理を行い、
上記ＡＴＭセル送出数制御手段は、上記標準ＡＴＭセル送出数に基づいて上記アクティブ検出手段の上記アクティブ判定閾値を算出するアクティブ判定閾値算出手段である
ことを特徴とする請求項１記載の音声セル化伝送装置。
【請求項６】
アクティブ判定閾値に基づいて入力した信号がアクティブか否かを判定するアクティブ検出手段と、
上記アクティブ検出手段のアクティブ判定出力に対してアクティブハングオーバー時間分延長させるハングオーバー付加手段とをさらに備え、
上記音声信号処理手段および上記レイヤードセル化手段は、上記アクティブハングオーバー時間分時間を延長させて、音声信号処理およびレイヤードセル組立処理を行い、
上記ＡＴＭセル送出数制御手段は、上記標準ＡＴＭセル送出数に基づいて上記ハングオーバー付加手段の上記アクティブハングオーバー時間を算出するアクティブハングオーバー時間算出手段である
ことを特徴とする請求項１記載の音声セル化伝送装置。
【請求項７】
入力した信号に対して複数種類の音声信号処理を行う音声信号処理手段と、
上記信号処理手段が出力するデータ列を標準のＡＴＭセルの中に埋め込まれるレイヤードセルに組立てるレイヤードセル化手段と、
複数のチャネルの複数の上記レイヤードセルを標準ＡＴＭセルに多重化するために待ち合わせる多重化待ち合わせ手段と、
上記レイヤードセルを標準ＡＴＭセルに多重化組立を行うレイヤードセル多重化手段と、
上記レイヤードセル化手段の上記レイヤードセルの送出量を計測するレイヤードセル送出量計測手段と、
上記レイヤードセル送出量に基づいて標準ＡＴＭセルの送出数を制御するＡＴＭセル送出数制御手段と
を備えた事を特徴とする音声セル化伝送装置。
【請求項８】
上記ＡＴＭセル送出数制御手段は、上記レイヤードセル送出量に基づいてレイヤードセル多重化待ち合わせ時間を算出する多重化待ち合わせ時間算出手段であり、
上記多重化待ち合わせ手段は、上記レイヤードセル多重化待ち合わせ時間に基づいて待ち合わせ時間を調整する
ことを特徴とする請求項７記載の音声セル化伝送装置。
【請求項９】
上記ＡＴＭセル送出数制御手段は、上記レイヤードセル送出量に基づいて上記音声信号処理手段の音声符号化速度を算出する音声符号化速度算出手段であり、
上記音声信号処理手段は、上記音声符号化速度に基づいて音声の符号化速度を調整する
ことを特徴とする請求項７記載の音声セル化伝送装置。
【請求項１０】
上記ＡＴＭセル送出数制御手段は、上記レイヤードセル送出量に基づいて上記音声信号処理手段のＦＡＸ復調伝送速度を算出するＦＡＸ復調伝送速度算出手段であり、
上記音声信号処理手段は、上記ＦＡＸ復調伝送速度に基づいてＦＡＸの復調伝送速度を調整する
ことを特徴とする請求項７記載の音声セル化伝送装置。
【請求項１１】
アクティブ判定閾値に基づいて入力した信号がアクティブか否かを判定するアクティブ検出手段をさらに備え、
上記音声信号処理手段および上記レイヤードセル化手段は、上記アクティブ判定出力に基づいて、音声信号処理およびレイヤードセル組立処理を行い、
上記ＡＴＭセル送出数制御手段は、上記レイヤードセル送出量に基づいて上記アクティブ検出手段の上記アクティブ判定閾値を算出するアクティブ判定閾値算出手段である
ことを特徴とする請求項７記載の音声セル化伝送装置。
【請求項１２】
アクティブ判定閾値に基づいて入力した信号がアクティブか否かを判定するアクティブ検出手段と、
上記アクティブ検出手段のアクティブ判定出力に対してアクティブハングオーバー時間分延長させるハングオーバー付加手段とをさらに備え、
上記音声信号処理手段および上記レイヤードセル化手段は、上記アクティブハングオーバー時間分時間を延長させて、音声信号処理およびレイヤードセル組立処理を行い、
上記ＡＴＭセル送出数制御手段は、上記レイヤードセル送出量に基づいて上記ハングオーバー付加手段の上記アクティブハングオーバー時間を算出するアクティブハングオーバー時間算出手段である
ことを特徴とする請求項７記載の音声セル化伝送装置。
【請求項１３】
入力した信号に対して複数種類の音声信号処理を行う音声信号処理手段と、
入力した音声帯域信号がアクティブか否かを判定するアクティブ検出手段と、上記信号処理手段が出力するデータ列を標準のＡＴＭセルの中に埋め込まれるレイヤードセルに組立てるレイヤードセル化手段と、
複数のチャネルの複数の上記レイヤードセルを標準ＡＴＭセルに多重化するために待ち合わせる多重化待ち合わせ手段と、
上記レイヤードセルを標準ＡＴＭセルに多重化組立を行うレイヤードセル多重化手段と、
上記アクティブ検出手段からの情報に基づきアクティブ状態を計測するアクティブ状態計測手段と、
上記アクティブ状態計測手段のアクティブ状態計測結果に基づいて標準ＡＴＭセルの送出数を制御するＡＴＭセル送出数制御手段
とを備えた事を特徴とする音声セル化伝送装置。
【請求項１４】
上記ＡＴＭセル送出数制御手段は、上記アクティブ状態計測結果に基づいてレイヤードセル多重化待ち合わせ時間を算出する多重化待ち合わせ時間算出手段であり、
上記多重化待ち合わせ手段は、上記レイヤードセル多重化待ち合わせ時間に基づいて待ち合わせ時間を調整する
ことを特徴とする請求項１３記載の音声セル化伝送装置。
【請求項１５】
上記ＡＴＭセル送出数制御手段は、上記アクティブ状態計測結果に基づいて上記音声信号処理手段の音声符号化速度を算出する音声符号化速度算出手段であり、
上記音声信号処理手段は、上記音声符号化速度に基づいて音声の符号化速度を調整する
ことを特徴とする請求項１３記載の音声セル化伝送装置。
【請求項１６】
上記ＡＴＭセル送出数制御手段は、上記アクティブ状態計測結果に基づいて上記音声信号処理手段のＦＡＸ復調伝送速度を算出するＦＡＸ復調伝送速度算出手段であり、
上記音声信号処理手段は、上記ＦＡＸ復調伝送速度に基づいてＦＡＸの復調伝送速度を調整する
ことを特徴とする請求項１３記載の音声セル化伝送装置。
【請求項１７】
上記アクティブ検出手段は、アクティブ判定閾値に基づいて入力した信号がアクティブか否かを判定し、
上記音声信号処理手段および上記レイヤードセル化手段は、上記アクティブ判定出力に基づいて、音声信号処理およびレイヤードセル組立処理を行い、
上記ＡＴＭセル送出数制御手段は、上記アクティブ状態計測結果に基づいて上記アクティブ検出手段の上記アクティブ判定閾値を算出するアクティブ判定閾値算出手段である
ことを特徴とする請求項１３記載の音声セル化伝送装置。
【請求項１８】
上記アクティブ検出手段のアクティブ判定出力に対してアクティブハングオーバー時間分延長させるハングオーバー付加手段をさらに備え、
上記音声信号処理手段および上記レイヤードセル化手段は、上記アクティブハングオーバー時間分時間を延長させて、音声信号処理およびレイヤードセル組立処理を行い、
上記ＡＴＭセル送出数制御手段は、上記アクティブ状態計測結果に基づいて上記ハングオーバー付加手段の上記アクティブハングオーバー時間を算出するアクティブハングオーバー時間算出手段である
ことを特徴とする請求項１３記載の音声セル化伝送装置。
【発明の詳細な説明】
【０００１】
【発明の属する技術分野】
この発明は、レイヤードセルを用いた音声セル化伝送装置に関するものである。
【０００２】
【従来の技術】
図１６は例えば、１９９８年電子情報通信学会総合大会「AAL Type2 を用いた音声／ファクシミリ信号の伝送に関する−検討」に示された従来の音声セル化伝送装置である。図１６に示す従来の音声セル化伝送装置は、音声の符号化を行う音声符号化部１０１と、ファクシミリ信号を復調伝送するＦＡＸ復調部１０２と、音声符号化部１０１及びＦＡＸ復調部１０２が出力するデータ列をショートセルに組立てるショートセル化部１０３と、複数のショートセル化部が出力するショートセルを標準のＡＴＭセルに多重化するための多重化待ち合わせバッファ部１０４と、多重化待ち合わせバッファ部から出力される待ち合わせ時間を経過したショートセルを標準のＡＴＭセルへ多重化するレイヤードセル多重化部（ショートセル多重化部）１０５とからなる。
【０００３】
ここでのショートセルとは、レイヤードセルと同様に標準のＡＴＭセルに埋め込まれるセルを意味するが、そのサイズが標準のＡＴＭセルよりも短い場合にショートセルと呼ばれている。機能としては、ショートセル及びレイヤードセルは同じである。
【０００４】
次に動作について説明する。チャネル１乃至ｎを介して入力された音声信号またはファクシミリ信号は、音声符号化部１０１またはＦＡＸ復調部１０２にて信号処理され、ディジタルのデータ列に変換される。これらのデータ列は、ショートセル化部１０３にて標準のＡＴＭセルに埋め込まれるショートセルに組立てられる。各チャネルで組立てられたショートセルは多重化待ち合わせバッファ部１０４に入力される。多重化待ち合わせバッファ部１０４では、入力されたショートセルはそれぞれ入力された時刻より所定の時間だけ待たされた後、ショートセル多重化部１０５に出力される。しかし、待ち合わせ時間内に１つの標準のＡＴＭセルを構成するために必要なショートセルが集った場合には、その時点でショートセル多重化部１０５に出力されて、ショートセル多重化部１０５にて標準のＡＴＭセルに組立てられ出力されるが、待ち合わせ時間内に１つの標準のＡＴＭセルを構成するために必要なショートセルが集らなかった場合には、その時点までのショートセルがショートセル多重化部１０５に出力されて、ショートセル多重化部１０５にて一部無効なデータが含まれた標準のＡＴＭセルに組立てられ出力される。
【発明が解決しようとする課題】
【０００５】
従来の音声セル化伝送装置では、ショートセルの発生量の増加に応じて標準のＡＴＭセルの送出数も増加し、ＡＴＭ網に輻輳を発生させ、その結果としてセル損失が発生し、通話品質の劣化を招くという問題点があった。
【０００６】
この発明は上記のような問題点を解決するためになされたもので、ＡＴＭ網へ送出されるＡＴＭセル数が増える場合に自立的に送出ＡＴＭセル数を減らし、ＡＴＭ網に輻輳を発生させ難い安定した伝送を提供し、高い通話品質を維持することを可能とする音声セル化伝送装置を得ることを目的とする。
【０００７】
【課題を解決するための手段】
この発明に係る音声セル化伝送装置においては、入力した信号に対して複数種類の音声信号処理を行う音声信号処理手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、レイヤードセル多重化手段が出力する標準ＡＴＭセルの送出数をカウントするＡＴＭセル送出数カウント手段と、ＡＴＭセル送出数カウント手段によりカウントされた標準ＡＴＭセル送出数に基づいてレイヤードセルの多重効率またはレイヤードセルの発生量を制御することにより標準ＡＴＭセルの送出数を制御するＡＴＭセル送出数制御手段とを備えている。
【０００８】
また、ＡＴＭセル送出数制御手段は、標準ＡＴＭセル送出数に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。
【０００９】
また、ＡＴＭセル送出数制御手段は、標準ＡＴＭセル送出数に基づいて音声信号処理手段の音声符号化速度を算出する音声符号化速度算出手段であり、音声信号処理手段は、音声符号化速度に基づいて音声の符号化速度を調整する。
【００１０】
また、ＡＴＭセル送出数制御手段は、標準ＡＴＭセル送出数に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。
【００１１】
また、アクティブ判定閾値に基づいて入力した信号がアクティブか否かを判定するアクティブ検出手段をさらに備え、音声信号処理手段およびレイヤードセル化手段は、アクティブ判定出力に基づいて、音声信号処理およびレイヤードセル組立処理を行い、ＡＴＭセル送出数制御手段は、標準ＡＴＭセル送出数に基づいてアクティブ検出手段のアクティブ判定閾値を算出するアクティブ判定閾値算出手段である。
【００１２】
また、アクティブ判定閾値に基づいて入力した信号がアクティブか否かを判定するアクティブ検出手段と、アクティブ検出手段のアクティブ判定出力に対してアクティブハングオーバー時間分延長させるハングオーバー付加手段とをさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、標準ＡＴＭセル送出数に基づいてハングオーバー付加手段のアクティブハングオーバー時間を算出するアクティブハングオーバー時間算出手段である。
【００１３】
また、他の発明に係る音声セル化伝送装置は、入力した信号に対して複数種類の音声信号処理を行う音声信号処理手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、レイヤードセル化手段のレイヤードセルの送出量を計測するレイヤードセル送出量計測手段と、レイヤードセル送出量に基づいて標準ＡＴＭセルの送出数を制御するＡＴＭセル送出数制御手段とを備えている。
【００１４】
また、ＡＴＭセル送出数制御手段は、レイヤードセル送出量に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。
【００１５】
また、ＡＴＭセル送出数制御手段は、レイヤードセル送出量に基づいて音声信号処理手段の音声符号化速度を算出する音声符号化速度算出手段であり、音声信号処理手段は、音声符号化速度に基づいて音声の符号化速度を調整する。
【００１６】
また、ＡＴＭセル送出数制御手段は、レイヤードセル送出量に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。
【００１７】
また、アクティブ判定閾値に基づいて入力した信号がアクティブか否かを判定するアクティブ検出手段をさらに備え、音声信号処理手段およびレイヤードセル化手段は、アクティブ判定出力に基づいて、音声信号処理およびレイヤードセル組立処理を行い、ＡＴＭセル送出数制御手段は、レイヤードセル送出量に基づいてアクティブ検出手段のアクティブ判定閾値を算出するアクティブ判定閾値算出手段である。
【００１８】
また、アクティブ判定閾値に基づいて入力した信号がアクティブか否かを判定するアクティブ検出手段と、アクティブ検出手段のアクティブ判定出力に対してアクティブハングオーバー時間分延長させるハングオーバー付加手段とをさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、レイヤードセル送出量に基づいてハングオーバー付加手段のアクティブハングオーバー時間を算出するアクティブハングオーバー時間算出手段である。
【００１９】
また、さらに他の発明に係る音声セル化伝送装置は、入力した信号に対して複数種類の音声信号処理を行う音声信号処理手段と、入力した音声帯域信号がアクティブか否かを判定するアクティブ検出手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、アクティブ検出手段からの情報に基づきアクティブ状態を計測するアクティブ状態計測手段と、アクティブ状態計測手段のアクティブ状態計測結果に基づいて標準ＡＴＭセルの送出数を制御するＡＴＭセル送出数制御手段とを備えている。
【００２０】
また、ＡＴＭセル送出数制御手段は、アクティブ状態計測結果に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。
【００２１】
また、ＡＴＭセル送出数制御手段は、アクティブ状態計測結果に基づいて音声信号処理手段の音声符号化速度を算出する音声符号化速度算出手段であり、音声信号処理手段は、音声符号化速度に基づいて音声の符号化速度を調整する。
【００２２】
また、ＡＴＭセル送出数制御手段は、アクティブ状態計測結果に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。
【００２３】
また、アクティブ検出手段は、アクティブ判定閾値に基づいて入力した信号がアクティブか否かを判定し、音声信号処理手段およびレイヤードセル化手段は、アクティブ判定出力に基づいて、音声信号処理およびレイヤードセル組立処理を行い、ＡＴＭセル送出数制御手段は、アクティブ状態計測結果に基づいてアクティブ検出手段のアクティブ判定閾値を算出するアクティブ判定閾値算出手段である。
【００２４】
さらに、アクティブ検出手段のアクティブ判定出力に対してアクティブハングオーバー時間分延長させるハングオーバー付加手段をさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、アクティブ状態計測結果に基づいてハングオーバー付加手段のアクティブハングオーバー時間を算出するアクティブハングオーバー時間算出手段である。
【００２５】
【発明の実施の形態】
実施の形態１．
図１はこの発明の実施の形態の音声セル化伝送装置を示す構成図である。図において、１１０は各チャネルに入力される信号に対し音声符号化処理やＦＡＸ復調伝送処理等を行う音声信号処理部（音声信号処理手段）、１０３はこの音声信号処理部１１０からのデータ列をショートセルに組立てるショートセル化部（レイヤードセル化手段）、１０４は各チャネルから出力されたショートセルを標準ＡＴＭセルに多重化するために一時的に待合せる多重化待ち合わせバッファ部（多重化待ち合わせ手段）、１０５は複数のショートセルを標準ＡＴＭセルに組立てて出力するショートセル多重化部（レイヤードセル多重化手段）である。
【００２６】
また、２０１はショートセル多重化部１０５が出力する標準ＡＴＭセル数をカウントする標準ＡＴＭセル送出セル数カウント部（ＡＴＭセル送出数カウント手段）、２０２は標準ＡＴＭセル送出セル数カウント部２０１からの標準ＡＴＭセル送出セル数に応じて多重化待ち合わせバッファ部１０４でのショートセルの待ち合わせ時間を算出する多重化待ち合わせ時間算出部（ＡＴＭセル送出数制御手段としての多重化待ち合わせ時間算出手段）である。
【００２７】
ここでのショートセルとは、レイヤードセルと同様に標準のＡＴＭセルに埋め込まれるセルを意味するが、そのサイズが標準のＡＴＭセルよりも短い場合にショートセルと呼ばれている。機能としては、ショートセル及びレイヤードセルは同じであり、本実施の形態においては、ショートセル及びレイヤードセルを同じものとして記述している。
【００２８】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００２９】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００３０】
標準ＡＴＭセル送出セル数カウント部２０１では、ショートセル多重化部１０５から出力される標準ＡＴＭセルの時間当たりの数をカウントし、その結果を多重化待ち合わせ時間算出部２０２に通知する。多重化待ち合わせ時間算出部２０２では、標準ＡＴＭセル送出セル数カウント部２０１からの情報により、標準ＡＴＭセルの送出数が大きい時には多重化待ち合わせバッファ部１０４で待ち合わされる時間を大きく設定する事でダミーデータでＡＴＭセルの一部が埋められた無駄の多いＡＴＭセルが送出される事を抑制し、標準ＡＴＭセルの送出数が少ない時には多重化待ち合わせバッファ部１０４で待ち合わされる時間を小さく設定する事で伝送遅延を少なくするように、多重化待ち合わせバッファ部１０４での待ち合わせ時間を算出して多重化待ち合わせバッファ部１０４に通知、設定する。
【００３１】
以上のように、送出される標準ＡＴＭセル数によってショートセルの多重化待ち合わせ時間を制御する事で、ショートセルの標準ＡＴＭセルへの多重効率を制御できる。この事で、ＡＴＭセル送出数が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、ＡＴＭセルの送出数が少ない時にはショートセルの標準ＡＴＭセルへの多重効率を緩める事で伝送遅延の少ない通話品質が高い伝送を提供できる。
【００３２】
実施の形態２．
上述の実施の形態１では、送出される標準ＡＴＭセル数によってショートセルの多重化待ち合わせ時間を制御してＡＴＭセルの送出数を制御するものであるが、次に送出される標準ＡＴＭセル数によって音声信号の符号化速度を制御する事でＡＴＭセルの送出数を制御する実施の形態を示す。
【００３３】
図２は、このような場合の音声セル化伝送装置の一実施の形態を示す構成図である。図において、１０１は各チャネルにおいて入力された音声信号に対して音声符号化処理を行う音声符号化部、１０２は各チャネルにおいて入力されたＦＡＸ信号に対してＦＡＸ復調伝送処理を行うＦＡＸ復調部、２０３は標準ＡＴＭセル送出セル数カウント部２０１からの標準ＡＴＭセル送出セル数に応じて音声符号化部１０１での音声符号化速度を算出する音声符号化速度算出部（ＡＴＭセル送出数制御手段としての音声符号化速度算出手段）である。音声符号化部１０１とＦＡＸ復調部１０２は、各々音声信号処理部１１０の一部の構成要素である。
その他の構成要素については、実施の形態１と同様である。
【００３４】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００３５】
ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００３６】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００３７】
標準ＡＴＭセル送出セル数カウント部２０１では、ショートセル多重化部１０５から出力される標準ＡＴＭセルの時間当たりの数をカウントし、その結果を音声符号化速度算出部２０３に通知する。音声符号化速度算出部２０３では、標準ＡＴＭセル送出セル数カウント部２０１からの情報により、標準ＡＴＭセルの送出数が大きい時には音声符号化部１０１で音声符号化される符号化速度を小さく設定する事でショートセルの発生量を抑制し、標準ＡＴＭセルの送出数が少ない時には音声符号化部１０１で音声符号化される符号化速度を大きく設定する事で通話品質を向上するように、音声符号化部１０１での音声符号化速度を算出して音声符号化部１０１に通知、設定する。
【００３８】
以上のように、送出される標準ＡＴＭセル数によって音声符号化速度を制御する事で、ショートセルの発生量を制御できる。この事で、ＡＴＭセル送出数が増えた時には音声符号化速度を低めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時には音声符号化速度を高める事で通話品質が高い伝送を提供できる。
【００３９】
実施の形態３．
上述の実施の形態２では、送出される標準ＡＴＭセル数によって音声符号化速度を制御してＡＴＭセルの送出数を制御するものであるが、次に送出される標準ＡＴＭセル数によってＦＡＸ復調伝送速度を制御する事でＡＴＭセルの送出数を制御する実施の形態を示す。
【００４０】
図３は、このような場合の音声セル化伝送装置の一実施の形態を示す構成図である。図において、２０４は標準ＡＴＭセル送出セル数カウント部２０１からの標準ＡＴＭセル送出セル数に応じてＦＡＸ復調部１０２でのＦＡＸ復調伝送速度を算出するＦＡＸ伝送速度算出部（ＡＴＭセル送出数制御手段としてのＦＡＸ復調伝送速度算出手段）である。その他の構成要素については、実施の形態２と同様である。
【００４１】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００４２】
ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００４３】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００４４】
標準ＡＴＭセル送出セル数カウント部２０１では、ショートセル多重化部１０５から出力される標準ＡＴＭセルの時間当たりの数をカウントし、その結果をＦＡＸ伝送速度算出部２０４に通知する。ＦＡＸ伝送速度算出部２０４では、標準ＡＴＭセル送出セル数カウント部２０１からの情報により、標準ＡＴＭセルの送出数が大きい時にはＦＡＸ復調部１０２で復調伝送される信号速度を小さく設定する事でショートセルの発生量を抑制し、標準ＡＴＭセルの送出数が少ない時にはＦＡＸ復調部１０２で復調伝送される信号速度を大きく設定する事で通話品質を向上するように、ＦＡＸ復調部１０２でのＦＡＸ復調伝送速度を算出してＦＡＸ復調部１０２に通知、設定する。
【００４５】
以上のように、送出される標準ＡＴＭセル数によってＦＡＸ復調伝送速度を制御する事で、ショートセルの発生量を制御できる。この事で、ＡＴＭセル送出数が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはＦＡＸ復調伝送速度を高める事で通話品質が高い伝送を提供できる。
【００４６】
実施の形態４．
上述の実施の形態３では、送出される標準ＡＴＭセル数によってＦＡＸ復調伝送速度を制御してＡＴＭセルの送出数を制御するものであるが、次に送出される標準ＡＴＭセル数によってアクティブ検出器のアクティブ判定閾値を制御する事でＡＴＭセルの送出数を制御する実施の形態を示す。
【００４７】
図４は、このような場合の音声セル化伝送装置の一実施の形態を示す構成図である。図において、１１１は入力された信号がアクティブか否かを検出するアクティブ検出器（アクティブ検出手段）、２０５は標準ＡＴＭセル送出セル数カウント部２０１からの標準ＡＴＭセル送出セル数に応じてアクティブ検出器１１１でのアクティブ判定閾値を算出するアクティブ判定閾値算出部（ＡＴＭセル送出数制御手段としてのアクティブ判定閾値算出手段）である。その他の構成要素については、実施の形態３と同様である。
【００４８】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００４９】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【００５０】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００５１】
標準ＡＴＭセル送出セル数カウント部２０１では、ショートセル多重化部１０５から出力される標準ＡＴＭセルの時間当たりの数をカウントし、その結果をアクティブ判定閾値算出部２０５に通知する。アクティブ判定閾値算出部２０５では、標準ＡＴＭセル送出セル数カウント部２０１からの情報により、標準ＡＴＭセルの送出数が大きい時にはアクティブ検出器１１１でアクティブと判定される閾値を高く設定する事でショートセルの発生量を抑制し、標準ＡＴＭセルの送出数が少ない時にはアクティブ検出器１１１でアクティブと判定される閾値を小さく設定する事で通話品質を向上するように、アクティブ検出器１１１でのアクティブ判定閾値を算出してアクティブ検出器１１１に通知、設定する。
【００５２】
以上のように、送出される標準ＡＴＭセル数によってアクティブ検出閾値を制御する事で、ショートセルの発生量を制御できる。この事で、ＡＴＭセル送出数が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはアクティブ判定閾値を低める事で通話品質が高い伝送を提供できる。
【００５３】
実施の形態５．
上述の実施の形態４では、送出される標準ＡＴＭセル数によってアクティブ判定閾値を制御してＡＴＭセルの送出数を制御するものであるが、次に送出される標準ＡＴＭセル数によってハングオーバー付加部のアクティブハングオーバー量を制御する事でＡＴＭセルの送出数を制御する実施の形態を示す。
【００５４】
図５は、このような場合の音声セル化伝送装置の一実施の形態を示す構成図である。図において、１１２はアクティブ検出器１１１からのアクティブ判定出力を設定された時間分延長させるハングオーバー付加部（ハングオーバー付加手段）、２０６は標準ＡＴＭセル送出セル数カウント部２０１からの標準ＡＴＭセル送出セル数に応じてハングオーバー付加部１１２で付加するハングオーバー時間を算出するアクティブハングオーバー時間算出部（ＡＴＭセル送出数制御手段としてのアクティブハングオーバー時間算出手段）である。その他の構成要素については、実施の形態４と同様である。
【００５５】
次に動作について説明する。まずアクティブ検出器１１１により各チャネルに入力された信号に対しアクティブ検出が行われ、その結果をハングオーバー付加部１１２に出力する。ハングオーバー付加部１１２ではアクティブ検出器１１１から入力したアクティブ判定結果に対し所定の時間分延長させたアクティブ判定結果を音声信号処理部１１０とショートセル化部１０３に出力する。
【００５６】
また、音声信号処理部１１０にてハングオーバー付加部１１２からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００５７】
ショートセル化部１０３ではハングオーバー付加部１１２からの情報に基づき、アクティブと判定された音声信号処理部１１０からの入力データ列を区切ったデータとショートセル用のヘッダー情報とを合わせてショートセルを組立てる。
各チャネルにおいて組立てられたショートセルは、多重化待ち合わせバッファ部１０４に入力される。
【００５８】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００５９】
標準ＡＴＭセル送出セル数カウント部２０１では、ショートセル多重化部１０５から出力される標準ＡＴＭセルの時間当たりの数をカウントし、その結果をアクティブハングオーバー時間算出部２０６に通知する。
【００６０】
アクティブハングオーバー時間算出部２０６では、標準ＡＴＭセル送出セル数カウント部２０１からの情報により、標準ＡＴＭセルの送出数が大きい時にはハングオーバー付加部１１２でアクティブ判定結果に付加される延長時間を短く設定する事でショートセルの発生量を抑制し、標準ＡＴＭセルの送出数が少ない時にはハングオーバー付加部１１２でアクティブ判定結果に付加される延長時間を大きく設定する事で通話品質を向上するように、ハングオーバー付加部１１２でのアクティブ判定結果に対する延長時間を算出してハングオーバー付加部１１２に通知、設定する。
【００６１】
以上のように、送出される標準ＡＴＭセル数によってアクティブ判定結果に付加する延長時間を制御する事で、ショートセルの発生量を制御できる。この事で、ＡＴＭセル送出数が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはアクティブ判定結果に付加する延長時間を長くする事で通話品質が高い伝送を提供できる。
【００６２】
実施の形態６．
図６はこの発明の一実施の形態を示す構成図である。図において、２１０はショートセル化部１０３が出力するショートセル数及びショートセル長を計測するショートセル送出量計測部（レイヤードセル送出量計測手段）である。その他の構成要素については、実施の形態１と同様である。
【００６３】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００６４】
ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００６５】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００６６】
ショートセル送出量計測部２１０では、ショートセル化部１０３から出力されるショートセルの時間当たりの数とショートセルの長さを計測し、その結果を多重化待ち合わせ時間算出部２０２に通知する。
【００６７】
多重化待ち合わせ時間算出部２０２では、ショートセル送出量計測部２１０からの情報により、ショートセルの送出量が大きい時には多重化待ち合わせバッファ部１０４で待ち合わされる時間を大きく設定する事でダミーデータでＡＴＭセルの一部が埋められた無駄の多いＡＴＭセルが送出される事を抑制し、ショートセルの送出量が少ない時には多重化待ち合わせバッファ部１０４で待ち合わされる時間を小さく設定する事で伝送遅延を少なくするように、多重化待ち合わせバッファ部１０４での待ち合わせ時間を算出して多重化待ち合わせバッファ部１０４に通知、設定する。
【００６８】
以上のように、送出されるショートセル量によってショートセルの多重化待ち合わせ時間を制御する事で、ショートセルの標準ＡＴＭセルへの多重効率を制御できる。この事で、ショートセル送出量が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、ショートセルの送出量が少ない時にはショートセルの標準ＡＴＭセルへの多重効率を緩める事で伝送遅延の少ない通話品質が高い伝送を提供できる。
【００６９】
実施の形態７．
上述の実施の形態６では、送出されるショートセル量によってショートセルの多重化待ち合わせ時間を制御してＡＴＭセルの送出数を制御するものであるが、次に送出されるショートセル量によって音声信号の符号化速度を制御する事でＡＴＭセルの送出数を制御する実施の形態を示す。
【００７０】
図７は、このような場合の音声セル化伝送装置の一実施の形態を示す構成図である。図において、１０１は各チャネルにおいて入力された音声信号に対して音声符号化処理を行う音声符号化部、１０２は各チャネルにおいて入力されたＦＡＸ信号に対してＦＡＸ復調伝送処理を行うＦＡＸ復調部、２０３は標準ＡＴＭセル送出セル数カウント部２０１からの標準ＡＴＭセル送出セル数に応じて音声符号化部１０１での音声符号化速度を算出する音声符号化速度算出部である（ＡＴＭセル送出数制御手段としての音声符号化速度算出手段）。音声符号化部１０１とＦＡＸ復調部１０２は、音声信号処理部１１０の一部の構成要素である。その他の構成要素については、実施の形態６と同様である。
【００７１】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００７２】
ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００７３】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００７４】
ショートセル送出量計測部２１０では、ショートセル化部１０３から出力されるショートセルの時間当たりの数及びショートセル長を計測し、その結果を音声符号化速度算出部２０３に通知する。音声符号化速度算出部２０３では、ショートセル送出量計測部２１０からの情報により、ショートセルの送出量が大きい時には音声符号化部１０１で音声符号化される符号化速度を小さく設定する事でショートセルの発生量を抑制して結果的に標準ＡＴＭセルの送出数を抑制し、ショートセルの送出量が少ない時には音声符号化部１０１で音声符号化される符号化速度を大きく設定する事で通話品質を向上するように、音声符号化部１０１での音声符号化速度を算出して音声符号化部１０１に通知、設定する。
【００７５】
以上のように、送出されるショートセル量によって音声符号化速度を制御する事で、ショートセルの発生量を制御できる。この事で、ショートセル送出量が増えた時には音声符号化速度を低めてショートセルの発生量を抑制する事でＡＴＭセル送出数を自立的に抑制し、ＡＴＭ網に輻輳を発生させ難い安定した伝送を提供すると共に、ショートセルの送出量が少ない時には音声符号化速度を高める事で通話品質が高い伝送を提供できる。
【００７６】
実施の形態８．
上述の実施の形態７では、送出されるショートセル量によって音声符号化速度を制御してＡＴＭセルの送出数を制御するものであるが、次に送出されるショートセル量によってＦＡＸ復調伝送速度を制御する事でＡＴＭセルの送出数を制御する実施の形態を示す。
【００７７】
図８は、このような場合の音声セル化伝送装置の一実施の形態を示す構成図である。図において、２０４はショートセル送出量計測部２１０からのショートセル送出量に応じてＦＡＸ復調部１０２でのＦＡＸ復調伝送速度を算出するＦＡＸ伝送速度算出部である（ＡＴＭセル送出数制御手段としてのＦＡＸ復調伝送速度算出手段）。その他の構成要素については、実施の形態７と同様である。
【００７８】
次に動作について説明する。まず音声信号処理部１１０により各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００７９】
ショートセル化部１０３では入力されたデータ列を区切ったデータとショートセル用のヘッダー情報とを合わせてショートセルを組立てる。各チャネルにおいて組立てられたショートセルは、多重化待ち合わせバッファ部１０４に入力される。
【００８０】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００８１】
ショートセル送出量計測部２１０では、ショートセル化部１０３から出力されるショートセルの時間当たりの数及びショートセル長を計測し、その結果をＦＡＸ伝送速度算出部２０４に通知する。ＦＡＸ伝送速度算出部２０４では、ショートセル送出量計測部２１０からの情報により、ショートセルの送出量が大きい時にはＦＡＸ復調部１０２で復調伝送される信号速度を小さく設定する事でショートセルの発生量を抑制して結果的に標準ＡＴＭセルの送出数を抑制し、ショートセルの送出量が少ない時にはＦＡＸ復調部１０２で復調伝送される信号速度を大きく設定する事で通話品質を向上するように、ＦＡＸ復調部１０２でのＦＡＸ復調伝送速度を算出してＦＡＸ復調部１０２に通知、設定する。
【００８２】
以上のように、送出されるショートセル量によってＦＡＸ復調伝送速度を制御する事で、ショートセルの発生量を制御できる。この事で、ショートセル送出量が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、ショートセルの送出量が少ない時にはＦＡＸ復調伝送速度を高める事で通話品質が高い伝送を提供できる。
【００８３】
実施の形態９．
上述の実施の形態８では、送出されるショートセル量によってＦＡＸ復調伝送速度を制御してＡＴＭセルの送出数を制御するものであるが、次に送出されるショートセル量によってアクティブ検出器のアクティブ判定閾値を制御する事でＡＴＭセルの送出数を制御する実施の形態を示す。
【００８４】
図９は、このような場合の音声セル化伝送装置の一実施の形態を示す構成図である。図において、１１１は入力された信号がアクティブか否かを検出するアクティブ検出器（アクティブ検出手段）、２０５はショートセル送出量計測部２１０からのショートセル送出量に応じてアクティブ検出器１１１でのアクティブ判定閾値を算出するアクティブ判定閾値算出部である（ＡＴＭセル送出数制御手段としてのアクティブ判定閾値算出手段）。その他の構成要素については、実施の形態８と同様である。
【００８５】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００８６】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【００８７】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００８８】
ショートセル送出量計測部２１０では、ショートセル化部１０３から出力されるショートセルの時間当たりの数及びショートセル長を計測し、その結果をアクティブ判定閾値算出部２０５に通知する。アクティブ判定閾値算出部２０５では、ショートセル送出量計測部２１０からの情報により、ショートセルの送出量が大きい時にはアクティブ検出器１１１でアクティブと判定される閾値を高く設定する事でショートセルの発生量を抑制して結果的には標準ＡＴＭセルの送出数を抑制し、ショートセルの送出量が少ない時にはアクティブ検出器１１１でアクティブと判定される閾値を小さく設定する事で通話品質を向上するように、アクティブ検出器１１１でのアクティブ判定閾値を算出してアクティブ検出器１１１に通知、設定する。
【００８９】
以上のように、送出されるショートセル量によってアクティブ検出閾値を制御する事で、ショートセルの発生量を制御できる。この事で、ショートセル送出量が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、ショートセルの送出量が少ない時にはアクティブ判定閾値を低める事で通話品質が高い伝送を提供できる。
【００９０】
実施の形態１０．
上述の実施の形態９では、送出されるショートセル量によってアクティブ判定閾値を制御してＡＴＭセルの送出数を制御するものであるが、次に送出されるショートセル量によってハングオーバー付加部のアクティブハングオーバー量を制御する事でＡＴＭセルの送出数を制御する実施の形態を示す。
【００９１】
図１０は、このような場合の音声セル化伝送装置の一実施の形態を示す構成図である。図において、１１２はアクティブ検出器１１１からのアクティブ判定出力を設定された時間分延長させるハングオーバー付加部（ハングオーバー付加手段）、２０６はショートセル送出量計測部２１０からのショートセル送出量に応じてハングオーバー付加部１１２で付加するハングオーバー時間を算出するアクティブハングオーバー時間算出部（ＡＴＭセル送出数制御手段としてのアクティブハングオーバー時間算出手段）である。その他の構成要素については、実施の形態９と同様である。
【００９２】
次に動作について説明する。まずアクティブ検出器１１１により各チャネルに入力された信号に対しアクティブ検出が行われ、その結果をハングオーバー付加部１１２に出力する。ハングオーバー付加部１１２ではアクティブ検出器１１１から入力したアクティブ判定結果に対し所定の時間分延長させたアクティブ判定結果を音声信号処理部１１０とショートセル化部１０３に出力する。
【００９３】
また、音声信号処理部１１０にてハングオーバー付加部１１２からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【００９４】
ショートセル化部１０３ではハングオーバー付加部１１２からの情報に基づき、アクティブと判定された音声信号処理部１１０からの入力データ列を区切ったデータとショートセル用のヘッダー情報とを合わせてショートセルを組立てる。
各チャネルにおいて組立てられたショートセルは、多重化待ち合わせバッファ部１０４に入力される。
【００９５】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【００９６】
ショートセル送出量計測部２１０では、ショートセル化部１０３から出力されるショートセルの時間当たりの数及びショートセル長を計測し、その結果をアクティブハングオーバー時間算出部２０６に通知する。アクティブハングオーバー時間算出部２０６では、ショートセル送出量計測部２１０からの情報により、ショートセルの送出量が大きい時にはハングオーバー付加部１１２でアクティブ判定結果に付加される延長時間を短く設定する事でショートセルの発生量を抑制して結果的にＡＴＭセルの送出数を抑制し、ショートセルの送出量が少ない時にはハングオーバー付加部１１２でアクティブ判定結果に付加される延長時間を大きく設定する事で通話品質を向上するように、ハングオーバー付加部１１２でのアクティブ判定結果に対する延長時間を算出してハングオーバー付加部１１２に通知、設定する。
【００９７】
以上のように、送出されるショートセル量によってアクティブ判定結果に付加する延長時間を制御する事で、ショートセルの発生量を制御できる。この事で、ショートセル送出量が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、ショートセルの送出量が少ない時にはアクティブ判定結果に付加する延長時間を長くする事で通話品質が高い伝送を提供できる。
【００９８】
実施の形態１１．
図１１はこの発明の一実施の形態を示す構成図である。図において、１１１は入力された信号がアクティブか否かを検出するアクティブ検出器、２２０はアクティブ検出器１１１が出力するアクティブ検出結果を入力してアクティブと判定されたチャネル数をカウントするアクティブ状態計測部（アクティブ状態計測手段）である。その他の構成要素については、実施の形態１と同様である。
【００９９】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【０１００】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【０１０１】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【０１０２】
アクティブ状態計測部２２０では、アクティブ検出器１１１から出力されるアクティブ判定結果を計測し、その結果を多重化待ち合わせ時間算出部２０２に通知する。多重化待ち合わせ時間算出部２０２では、アクティブ状態計測部２２０からの情報により、アクティブと判定されたチャネル数が多い時には多重化待ち合わせバッファ部１０４で待ち合わされる時間を大きく設定する事でダミーデータでＡＴＭセルの一部が埋められた無駄の多いＡＴＭセルが送出される事を抑制し、アクティブと判定されたチャネル数が少ない時には多重化待ち合わせバッファ部１０４で待ち合わされる時間を小さく設定する事で伝送遅延を少なくするように、多重化待ち合わせバッファ部１０４での待ち合わせ時間を算出して多重化待ち合わせバッファ部１０４に通知、設定する。
【０１０３】
以上のように、アクティブと判定されたチャネル数によってショートセルの多重化待ち合わせ時間を制御する事で、ショートセルの標準ＡＴＭセルへの多重効率を制御できる。この事で、アクティブと判定されたチャネル数が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、アクティブと判定されたチャネル数が少ない時にはショートセルの標準ＡＴＭセルへの多重効率を緩める事で伝送遅延の少ない通話品質が高い伝送を提供できる。
【０１０４】
実施の形態１２．
上述の実施の形態１１では、アクティブと判定されたチャネル数によってショートセルの多重化待ち合わせ時間を制御してＡＴＭセルの送出数を制御するものであるが、次にアクティブと判定されたチャネル数によって音声信号の符号化速度を制御する事でＡＴＭセルの送出数を制御する実施の形態を示す。
【０１０５】
図１２は、このような場合の音声セル化伝送装置の一実施の形態を示す構成図である。図において、１０１は各チャネルにおいて入力された音声信号に対して音声符号化処理を行う音声符号化部、１０２は各チャネルにおいて入力されたＦＡＸ信号に対してＦＡＸ復調伝送処理を行うＦＡＸ復調部、２０３はアクティブ状態監視部２２０からのアクティブチャネル数に応じて音声符号化部１０１での音声符号化速度を算出する音声符号化速度算出部（ＡＴＭセル送出数制御手段としての音声符号化速度算出手段）である。音声符号化部１０１とＦＡＸ復調部１０２は、音声信号処理部１１０の一部の構成要素である。その他の構成要素については、実施の形態１１と同様である。
【０１０６】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【０１０７】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【０１０８】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【０１０９】
アクティブ状態計測部２２０では、アクティブ検出器１１１から出力されるアクティブ判定結果を計測し、その結果を音声符号化速度算出部２０３に通知する。音声符号化速度算出部２０３では、アクティブ状態計測部２２０からの情報により、アクティブと判定されたチャネル数が多い時には音声符号化部１０１で音声符号化される符号化速度を小さく設定する事でショートセルの発生量を抑制して結果的に標準ＡＴＭセルの送出数を抑制し、アクティブと判定されたチャネル数が少ない時には音声符号化部１０１で音声符号化される符号化速度を大きく設定する事で通話品質を向上するように、音声符号化部１０１での音声符号化速度を算出して音声符号化部１０１に通知、設定する。
【０１１０】
以上のように、アクティブと判定されたチャネル数によって音声符号化速度を制御する事で、ショートセルの発生量を制御できる。この事で、アクティブと判定されたチャネル数が増えた時には音声符号化速度を低めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時には音声符号化速度を高める事で通話品質が高い伝送を提供できる。
【０１１１】
実施の形態１３．
上述の実施の形態１２では、アクティブと判定されたチャネル数によって音声符号化速度を制御してＡＴＭセルの送出数を制御するものであるが、次にアクティブと判定されたチャネル数によってＦＡＸ復調伝送速度を制御する事でＡＴＭセルの送出数を制御する実施の形態を示す。
【０１１２】
図１３は、このような場合の音声セル化伝送装置の一実施の形態を示す構成図である。図において、２０４はアクティブ状態計測部２２０からのアクティブ判定結果に応じてＦＡＸ復調部１０２でのＦＡＸ復調伝送速度を算出するＦＡＸ伝送速度算出部（ＡＴＭセル送出数制御手段としてのＦＡＸ復調伝送速度算出手段）である。その他の構成要素については、実施の形態１２と同様である。
【０１１３】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【０１１４】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【０１１５】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【０１１６】
アクティブ状態計測部２２０では、アクティブ検出器１１１から出力されるアクティブ判定結果を計測し、その結果をＦＡＸ伝送速度算出部２０４に通知する。ＦＡＸ伝送速度算出部２０４では、アクティブ状態計測部２２０からの情報により、アクティブと判定されたチャネル数が多い時にはＦＡＸ復調部１０２で復調伝送される信号速度を小さく設定する事でショートセルの発生量を抑制して結果的に標準ＡＴＭセルの送出数を抑制し、アクティブと判定されたチャネル数が少ない時にはＦＡＸ復調部１０２で復調伝送される信号速度を大きく設定する事で通話品質を向上するように、ＦＡＸ復調部１０２でのＦＡＸ復調伝送速度を算出してＦＡＸ復調部１０２に通知、設定する。
【０１１７】
以上のように、アクティブと判定されたチャネル数によってＦＡＸ復調伝送速度を制御する事で、ショートセルの発生量を制御できる。この事で、アクティブと判定されたチャネル数が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはＦＡＸ復調伝送速度を高める事で通話品質が高い伝送を提供できる。
【０１１８】
実施の形態１４．
上述の実施の形態１３では、アクティブと判定されたチャネル数によってＦＡＸ復調伝送速度を制御してＡＴＭセルの送出数を制御するものであるが、次にアクティブと判定されたチャネル数によってアクティブ検出器のアクティブ判定閾値を制御する事でＡＴＭセルの送出数を制御する実施の形態を示す。
【０１１９】
図１４は、このような場合の音声セル化伝送装置の一実施の形態を示す構成図である。図において、２０５はアクティブ状態計測部２２０からのアクティブと判定されたチャネル数に応じてアクティブ検出器１１１でのアクティブ判定閾値を算出するアクティブ判定閾値算出部（ＡＴＭセル送出数制御手段としてのアクティブ判定閾値算出手段）である。その他の構成要素については、実施の形態１３と同様である。
【０１２０】
次に動作について説明する。まずアクティブ検出器１１１により各チャネルに入力された信号に対しアクティブ検出が行われ、その結果を音声信号処理部１１０及びショートセル化部１０３に出力する。また、音声信号処理部１１０にてアクティブ検出器１１１からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【０１２１】
ショートセル化部１０３ではアクティブ検出器１１１からの情報に基づき、アクティブと判定された音声信号処理部１１０からの入力データ列を区切ったデータとショートセル用のヘッダー情報とを合わせてショートセルを組立てる。各チャネルにおいて組立てられたショートセルは、多重化待ち合わせバッファ部１０４に入力される。
【０１２２】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【０１２３】
アクティブ状態計測部２２０では、アクティブ検出器１１１から出力されるアクティブ判定結果を計測し、その結果をアクティブ判定閾値算出部２０５に通知する。アクティブ判定閾値算出部２０５では、アクティブ状態計測部２２０からの情報により、アクティブと判定されたチャネル数が多い時にはアクティブ検出器１１１でアクティブと判定される閾値を高く設定する事でショートセルの発生量を抑制して結果的には標準ＡＴＭセルの発生量を抑制し、アクティブと判定されたチャネル数が少ない時にはアクティブ検出器１１１でアクティブと判定される閾値を小さく設定する事で通話品質を向上するように、アクティブ検出器１１１でのアクティブ判定閾値を算出してアクティブ検出器１１１に通知、設定する。
【０１２４】
以上のように、アクティブと判定されたチャネル数によってアクティブ検出閾値を制御する事で、ショートセルの発生量を制御できる。この事で、アクティブと判定されたチャネル数が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはアクティブ判定閾値を低める事で通話品質が高い伝送を提供できる。
【０１２５】
実施の形態１５．
上述の実施の形態１４では、アクティブと判定されたチャネル数によってアクティブ判定閾値を制御してＡＴＭセルの送出数を制御するものであるが、次にアクティブと判定されたチャネル数によってハングオーバー付加部のアクティブハングオーバー量を制御する事でＡＴＭセルの送出数を制御する実施の形態を示す。
【０１２６】
図１５は、このような場合の音声セル化伝送装置の一実施の形態を示す構成図である。図において、１１２はアクティブ検出器１１１からのアクティブ判定出力を設定された時間分延長させるハングオーバー付加部（ハングオーバー付加手段）、２０６はアクティブ状態計測部２２０からのアクティブと判定されたチャネル数に応じてハングオーバー付加部１１２で付加するハングオーバー時間を算出するアクティブハングオーバー時間算出部（ＡＴＭセル送出数制御手段としてのアクティブハングオーバー時間算出手段）である。その他の構成要素については、実施の形態１４と同様である。
【０１２７】
次に動作について説明する。まずアクティブ検出器１１１により各チャネルに入力された信号に対しアクティブ検出が行われ、その結果をハングオーバー付加部１１２に出力する。ハングオーバー付加部１１２ではアクティブ検出器１１１から入力したアクティブ判定結果に対し所定の時間分延長させたアクティブ判定結果を音声信号処理部１１０とショートセル化部１０３に出力する。
【０１２８】
また、音声信号処理部１１０にてハングオーバー付加部１１２からの情報に基づき各チャネルにて入力された信号に対し音声符号化処理やＦＡＸ復調伝送処理が行われ、その結果、音声信号は符号化されたディジタルのデータ列として、ＦＡＸ信号は復調されたディジタルのデータ列としてショートセル化部１０３に入力される。
【０１２９】
ショートセル化部１０３ではハングオーバー付加部１１２からの情報に基づき、アクティブと判定された音声信号処理部１１０からの入力データ列を区切ったデータとショートセル用のヘッダー情報とを合わせてショートセルを組立てる。
各チャネルにおいて組立てられたショートセルは、多重化待ち合わせバッファ部１０４に入力される。
【０１３０】
多重化待ち合わせバッファ部１０４では、ショートセルを標準ＡＴＭセルに多重化するための待ち合わせが行われる。設定された待ち合わせ時間が経過する前に標準ＡＴＭセルを構成するために必要なショートセルがバッファに入力された場合には、それらのショートセルがショートセル多重化部１０５に出力され、この時ショートセル多重化部１０５では、無駄の無いＡＴＭセルが組立てられて出力される。また、設定された待ち合わせ時間が経過しても標準ＡＴＭセルを構成するために必要なショートセルがバッファに入力されなかった場合には、そこまでのショートセルがショートセル多重化部１０５へ出力され、この時ショートセル多重化部１０５では、標準ＡＴＭセルの一部がダミーデータにて埋められらたＡＴＭセルが組立てられて出力される。
【０１３１】
アクティブ状態計測部２２０では、アクティブ検出器１１１から出力されるアクティブ判定結果を計測し、その結果をアクティブハングオーバー時間算出部２０６に通知する。アクティブハングオーバー時間算出部２０６では、アクティブ状態計測部２２０からの情報により、アクティブと判定されたチャネル数が多い時にはハングオーバー付加部１１２でアクティブ判定結果に付加される延長時間を短く設定する事でショートセルの発生量を抑制して結果的にＡＴＭセルの発生量を抑制し、アクティブと判定されたチャネル数が少ない時にはハングオーバー付加部１１２でアクティブ判定結果に付加される延長時間を大きく設定する事で通話品質を向上するように、ハングオーバー付加部１１２でのアクティブ判定結果に対する延長時間を算出してハングオーバー付加部１１２に通知、設定する。
【０１３２】
以上のように、アクティブと判定されたチャネル数によってアクティブ判定結果に付加する延長時間を制御する事で、ショートセルの発生量を制御できる。この事で、アクティブと判定されたチャネル数が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはアクティブ判定結果に付加する延長時間を長くする事で通話品質が高い伝送を提供できる。
【０１３３】
【発明の効果】
この発明に係る音声セル化伝送装置においては、入力した信号に対して複数種類の音声信号処理を行う音声信号処理手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、レイヤードセル多重化手段が出力する標準ＡＴＭセルの送出数をカウントするＡＴＭセル送出数カウント手段と、ＡＴＭセル送出数カウント手段によりカウントされた標準ＡＴＭセル送出数に基づいてレイヤードセルの多重効率またはレイヤードセルの発生量を制御することにより標準ＡＴＭセルの送出数を制御するＡＴＭセル送出数制御手段とを備えている。そのため、ＡＴＭセル送出数が増えた時には、ＡＴＭセル送出数を抑制し、ＡＴＭ網に輻輳を発生させ難い安定した伝送を提供すると共に、ＡＴＭセルの送出数が少ない時には、ＡＴＭセル送出数を緩める事で伝送遅延の少ない通話品質が高い伝送を提供できる。
【０１３４】
また、ＡＴＭセル送出数制御手段は、標準ＡＴＭセル送出数に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。送出される標準ＡＴＭセル数によってレイヤードセル即ちショートセルの多重化待ち合わせ時間を制御する事で、ショートセルの標準ＡＴＭセルへの多重効率を制御できる。この事で、ＡＴＭセル送出数が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、ＡＴＭセルの送出数が少ない時にはショートセルの標準ＡＴＭセルへの多重効率を緩める事で伝送遅延の少ない通話品質が高い伝送を提供できる。
【０１３５】
また、ＡＴＭセル送出数制御手段は、標準ＡＴＭセル送出数に基づいて音声信号処理手段の音声符号化速度を算出する音声符号化速度算出手段であり、音声信号処理手段は、音声符号化速度に基づいて音声の符号化速度を調整する。送出される標準ＡＴＭセル数によって音声符号化速度を制御する事で、レイヤードセル即ちショートセルの発生量を制御できる。この事で、ＡＴＭセル送出数が増えた時には音声符号化速度を低めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時には音声符号化速度を高める事で通話品質が高い伝送を提供できる。
【０１３６】
また、ＡＴＭセル送出数制御手段は、標準ＡＴＭセル送出数に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。送出される標準ＡＴＭセル数によってＦＡＸ復調伝送速度を制御する事で、レイヤードセル即ちショートセルの発生量を制御できる。この事で、ＡＴＭセル送出数が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはＦＡＸ復調伝送速度を高める事で通話品質が高い伝送を提供できる。
【０１３７】
また、アクティブ判定閾値に基づいて入力した信号がアクティブか否かを判定するアクティブ検出手段をさらに備え、音声信号処理手段およびレイヤードセル化手段は、アクティブ判定出力に基づいて、音声信号処理およびレイヤードセル組立処理を行い、ＡＴＭセル送出数制御手段は、標準ＡＴＭセル送出数に基づいてアクティブ検出手段のアクティブ判定閾値を算出するアクティブ判定閾値算出手段である。送出される標準ＡＴＭセル数によってアクティブ検出閾値を制御する事で、レイヤードセル即ちショートセルの発生量を制御できる。この事で、ＡＴＭセル送出数が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはアクティブ判定閾値を低める事で通話品質が高い伝送を提供できる。
【０１３８】
また、アクティブ判定閾値に基づいて入力した信号がアクティブか否かを判定するアクティブ検出手段と、アクティブ検出手段のアクティブ判定出力に対してアクティブハングオーバー時間分延長させるハングオーバー付加手段とをさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、標準ＡＴＭセル送出数に基づいてハングオーバー付加手段のアクティブハングオーバー時間を算出するアクティブハングオーバー時間算出手段である。送出される標準ＡＴＭセル数によってアクティブ判定結果に付加する延長時間を制御する事で、レイヤードセル即ちショートセルの発生量を制御できる。この事で、ＡＴＭセル送出数が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、ＡＴＭセルの送出数が少ない時にはアクティブ判定結果に付加する延長時間を長くする事で通話品質が高い伝送を提供できる。
【０１３９】
また、他の発明に係る音声セル化伝送装置は、入力した信号に対して複数種類の音声信号処理を行う音声信号処理手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、レイヤードセル化手段のレイヤードセルの送出量を計測するレイヤードセル送出量計測手段と、レイヤードセル送出量に基づいて標準ＡＴＭセルの送出数を制御するＡＴＭセル送出数制御手段とを備えている。そのため、ショートセル送出量が増えた時には、ＡＴＭセル送出数を抑制し、ＡＴＭ網に輻輳を発生させ難い安定した伝送を提供すると共に、ショートセルの送出量が少ない時には、ＡＴＭセル送出数を緩める事で伝送遅延の少ない通話品質が高い伝送を提供できる。
【０１４０】
また、ＡＴＭセル送出数制御手段は、レイヤードセル送出量に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。送出されるレイヤードセル即ちショートセル量によってショートセルの多重化待ち合わせ時間を制御する事で、ショートセルの標準ＡＴＭセルへの多重効率を制御できる。この事で、ショートセル送出量が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、ショートセルの送出量が少ない時にはショートセルの標準ＡＴＭセルへの多重効率を緩める事で伝送遅延の少ない通話品質が高い伝送を提供できる。
【０１４１】
また、ＡＴＭセル送出数制御手段は、レイヤードセル送出量に基づいて音声信号処理手段の音声符号化速度を算出する音声符号化速度算出手段であり、音声信号処理手段は、音声符号化速度に基づいて音声の符号化速度を調整する。送出されるレイヤードセル即ちショートセル量によって音声符号化速度を制御する事で、ショートセルの発生量を制御できる。この事で、ショートセル送出量が増えた時には音声符号化速度を低めてショートセルの発生量を抑制する事でＡＴＭセル送出数を自立的に抑制し、ＡＴＭ網に輻輳を発生させ難い安定した伝送を提供すると共に、ショートセルの送出量が少ない時には音声符号化速度を高める事で通話品質が高い伝送を提供できる。
【０１４２】
また、ＡＴＭセル送出数制御手段は、レイヤードセル送出量に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。送出されるレイヤードセル即ちショートセル量によってＦＡＸ復調伝送速度を制御する事で、ショートセルの発生量を制御できる。この事で、ショートセル送出量が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、ショートセルの送出量が少ない時にはＦＡＸ復調伝送速度を高める事で通話品質が高い伝送を提供できる。
【０１４３】
また、アクティブ判定閾値に基づいて入力した信号がアクティブか否かを判定するアクティブ検出手段をさらに備え、音声信号処理手段およびレイヤードセル化手段は、アクティブ判定出力に基づいて、音声信号処理およびレイヤードセル組立処理を行い、ＡＴＭセル送出数制御手段は、レイヤードセル送出量に基づいてアクティブ検出手段のアクティブ判定閾値を算出するアクティブ判定閾値算出手段である。送出されるレイヤードセル即ちショートセル量によってアクティブ検出閾値を制御する事で、ショートセルの発生量を制御できる。この事で、ショートセル送出量が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、ショートセルの送出量が少ない時にはアクティブ判定閾値を低める事で通話品質が高い伝送を提供できる。
【０１４４】
また、アクティブ判定閾値に基づいて入力した信号がアクティブか否かを判定するアクティブ検出手段と、アクティブ検出手段のアクティブ判定出力に対してアクティブハングオーバー時間分延長させるハングオーバー付加手段とをさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、レイヤードセル送出量に基づいてハングオーバー付加手段のアクティブハングオーバー時間を算出するアクティブハングオーバー時間算出手段である。送出されるレイヤードセル即ちショートセル量によってアクティブ判定結果に付加する延長時間を制御する事で、ショートセルの発生量を制御できる。この事で、ショートセル送出量が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、ショートセルの送出量が少ない時にはアクティブ判定結果に付加する延長時間を長くする事で通話品質が高い伝送を提供できる。
【０１４５】
また、さらに他の発明に係る音声セル化伝送装置は、入力した信号に対して複数種類の音声信号処理を行う音声信号処理手段と、入力した音声帯域信号がアクティブか否かを判定するアクティブ検出手段と、信号処理手段が出力するデータ列を標準のＡＴＭセルの中に埋め込まれるレイヤードセルに組立てるレイヤードセル化手段と、複数のチャネルの複数のレイヤードセルを標準ＡＴＭセルに多重化するために待ち合わせる多重化待ち合わせ手段と、レイヤードセルを標準ＡＴＭセルに多重化組立を行うレイヤードセル多重化手段と、アクティブ検出手段からの情報に基づきアクティブ状態を計測するアクティブ状態計測手段と、アクティブ状態計測手段のアクティブ状態計測結果に基づいて標準ＡＴＭセルの送出数を制御するＡＴＭセル送出数制御手段とを備えている。そのため、アクティブと判定されたチャネル数が増えた時には、ＡＴＭセル送出数を抑制し、ＡＴＭ網に輻輳を発生させ難い安定した伝送を提供すると共に、アクティブと判定されたチャネル数が少ない時には、ＡＴＭセル送出数を緩める事で伝送遅延の少ない通話品質が高い伝送を提供できる。
【０１４６】
また、ＡＴＭセル送出数制御手段は、アクティブ状態計測結果に基づいてレイヤードセル多重化待ち合わせ時間を算出する多重化待ち合わせ時間算出手段であり、多重化待ち合わせ手段は、レイヤードセル多重化待ち合わせ時間に基づいて待ち合わせ時間を調整する。アクティブと判定されたチャネル数によって、レイヤードセル即ちショートセルの多重化待ち合わせ時間を制御する事で、ショートセルの標準ＡＴＭセルへの多重効率を制御できる。この事で、アクティブと判定されたチャネル数が増えた時にはショートセルの標準ＡＴＭセルへの多重効率を高める事でＡＴＭセル送出数を自立的に抑制し、ＡＴＭ網に輻輳を発生させ難い安定した伝送を提供すると共に、アクティブと判定されたチャネル数が少ない時にはショートセルの標準ＡＴＭセルへの多重効率を緩める事で伝送遅延の少ない通話品質が高い伝送を提供できる。
【０１４７】
また、ＡＴＭセル送出数制御手段は、アクティブ状態計測結果に基づいて音声信号処理手段の音声符号化速度を算出する音声符号化速度算出手段であり、音声信号処理手段は、音声符号化速度に基づいて音声の符号化速度を調整する。アクティブと判定されたチャネル数によって音声符号化速度を制御する事で、レイヤードセル即ちショートセルの発生量を制御できる。この事で、アクティブと判定されたチャネル数が増えた時には音声符号化速度を低めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時には音声符号化速度を高める事で通話品質が高い伝送を提供できる。
【０１４８】
また、ＡＴＭセル送出数制御手段は、アクティブ状態計測結果に基づいて音声信号処理手段のＦＡＸ復調伝送速度を算出するＦＡＸ復調伝送速度算出手段であり、音声信号処理手段は、ＦＡＸ復調伝送速度に基づいてＦＡＸの復調伝送速度を調整する。アクティブと判定されたチャネル数によってＦＡＸ復調伝送速度を制御する事で、レイヤードセル即ちショートセルの発生量を制御できる。この事で、アクティブと判定されたチャネル数が増えた時にはＦＡＸ復調伝送速度を低めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはＦＡＸ復調伝送速度を高める事で通話品質が高い伝送を提供できる。
【０１４９】
また、アクティブ検出手段は、アクティブ判定閾値に基づいて入力した信号がアクティブか否かを判定し、音声信号処理手段およびレイヤードセル化手段は、アクティブ判定出力に基づいて、音声信号処理およびレイヤードセル組立処理を行い、ＡＴＭセル送出数制御手段は、アクティブ状態計測結果に基づいてアクティブ検出手段のアクティブ判定閾値を算出するアクティブ判定閾値算出手段である。アクティブと判定されたチャネル数によってアクティブ検出閾値を制御する事で、レイヤードセル即ちショートセルの発生量を制御できる。この事で、アクティブと判定されたチャネル数が増えた時にはアクティブ判定閾値を高めてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはアクティブ判定閾値を低める事で通話品質が高い伝送を提供できる。
【０１５０】
さらに、アクティブ検出手段のアクティブ判定出力に対してアクティブハングオーバー時間分延長させるハングオーバー付加手段をさらに備え、音声信号処理手段およびレイヤードセル化手段は、アクティブハングオーバー時間分時間を延長させて、音声信号処理およびレイヤードセル組立処理を行い、ＡＴＭセル送出数制御手段は、アクティブ状態計測結果に基づいてハングオーバー付加手段のアクティブハングオーバー時間を算出するアクティブハングオーバー時間算出手段である。アクティブと判定されたチャネル数によってアクティブ判定結果に付加する延長時間を制御する事で、レイヤードセル即ちショートセルの発生量を制御できる。この事で、アクティブと判定されたチャネル数が増えた時にはアクティブ判定結果に付加する延長時間を短くしてショートセルの発生量を抑制する事でＡＴＭセル送出数を自立的に抑制し、ＡＴＭ網に輻輳を発生させ難い安定した伝送を提供すると共に、アクティブと判定されたチャネル数が少ない時にはアクティブ判定結果に付加する延長時間を長くする事で通話品質が高い伝送を提供できる。
【図面の簡単な説明】
【図１】  この発明の実施の形態の音声セル化伝送装置を示す構成図である。
【図２】  この発明の他の実施の形態の音声セル化伝送装置を示す構成図である。
【図３】  この発明の他の実施の形態の音声セル化伝送装置を示す構成図である。
【図４】  この発明の他の実施の形態の音声セル化伝送装置を示す構成図である。
【図５】  この発明の他の実施の形態の音声セル化伝送装置を示す構成図である。
【図６】  この発明の他の実施の形態の音声セル化伝送装置を示す構成図である。
【図７】  この発明の他の実施の形態の音声セル化伝送装置を示す構成図である。
【図８】  この発明の他の実施の形態の音声セル化伝送装置を示す構成図である。
【図９】  この発明の他の実施の形態の音声セル化伝送装置を示す構成図である。
【図１０】  この発明の他の実施の形態の音声セル化伝送装置を示す構成図である。
【図１１】  この発明の他の実施の形態の音声セル化伝送装置を示す構成図である。
【図１２】  この発明の他の実施の形態の音声セル化伝送装置を示す構成図である。
【図１３】  この発明の他の実施の形態の音声セル化伝送装置を示す構成図である。
【図１４】  この発明の他の実施の形態の音声セル化伝送装置を示す構成図である。
【図１５】  この発明の他の実施の形態の音声セル化伝送装置を示す構成図である。
【図１６】  従来の音声セル化伝送装置を示す構成図である。
【符号の説明】
１０３  ショートセル化部（レイヤードセル化手段）、１０４  多重化待ち合わせバッファ部（多重化待ち合わせ手段）、１０５  ショートセル多重化部（レイヤードセル多重化手段）、１１０  音声信号処理部（音声信号処理手段）、１１１  アクティブ検出器（アクティブ検出手段）、１１２  ハングオーバー付加部（ハングオーバー付加手段）、２０１  標準ＡＴＭセル送出セル数カウント部（ＡＴＭセル送出数カウント手段）、２０２  多重化待ち合わせ時間算出部（ＡＴＭセル送出数制御手段としての多重化待ち合わせ時間算出手段）、２０３  音声符号化速度算出部（ＡＴＭセル送出数制御手段としての音声符号化速度算出手段）、２０４  ＦＡＸ伝送速度算出部（ＡＴＭセル送出数制御手段としてのＦＡＸ復調伝送速度算出手段）、２０５  アクティブ判定閾値算出部（ＡＴＭセル送出数制御手段としてのアクティブ判定閾値算出手段）、２０６  アクティブハングオーバー時間算出部（ＡＴＭセル送出数制御手段としてのアクティブハングオーバー時間算出手段）、２１０  ショートセル送出量計測部（レイヤードセル送出量計測手段）、２２０  アクティブ状態計測部（アクティブ状態計測手段）。
【図１】
0003699612.tif 000002
【図２】
0003699612.tif 000003
【図３】
0003699612.tif 000004
【図４】
0003699612.tif 000005
【図５】
0003699612.tif 000006
【図６】
0003699612.tif 000007
【図７】
0003699612.tif 000008
【図８】
0003699612.tif 000009
【図９】
0003699612.tif 000010
【図１０】
0003699612.tif 000011
【図１１】
0003699612.tif 000012
【図１２】
0003699612.tif 000013
【図１３】
0003699612.tif 000014
【図１４】
0003699612.tif 000015
【図１５】
0003699612.tif 000016
【図１６】
0003699612.tif 000017